(57)【特許請求の範囲】
【請求項１】
魚釣りに用いる釣竿であって、
竿元側の周面にリールを脱着自在に装着可能なリールシートを有する元竿及び前記元竿の穂先側に連結される他の竿体と、
前記元竿若しくは他の竿体の周面に配置され前記リールから導出される釣糸を最初に案内する釣糸飛び込みガイドとを備え、
前記釣糸飛び込みガイドは、軸方向に貫通する貫通孔が形成された本体部と、前記本体部に連続する部分であり前記元竿若しくは前記他の竿体の周面に当接して固定される固定部と、前記本体部の貫通孔に連通し竿元側に向かって伸びる弾性スリーブと、前記弾性スリーブの竿元側端縁に固定されるガイドリングとを有している、釣竿。
【請求項２】
前記弾性スリーブは、コイルバネ又はゴムチューブである、請求項１に記載の釣竿。
【発明の詳細な説明】
【０００１】
【発明の属する技術分野】
本発明は、魚釣りに用いる釣竿、特に、元竿のリールシートにリールを装着し、このリールからの釣糸を釣糸ガイドで穂先側に案内する釣竿に関する。
【０００２】
【従来の技術】
従来の釣竿で、いわゆる「外通し竿」と呼ばれるタイプの釣竿は、例えば、以下のような構成を備えている。即ち、このような釣竿は、複数の竿体を振出形式若しくは並継形式に連結して一本の釣竿とした上で、各竿体の周面に軸方向に間隔を隔てて釣糸ガイドを固定している。この釣糸ガイドは、金属若しくは合成樹脂製の本体部（フレーム）を有し、このフレームの一部に軸方向の貫通孔を設け、この貫通孔にセラミックス等の硬質部材からなるガイドリングが填め込まれている。このような釣竿では、リールからの釣糸を順次各釣糸ガイドのガイドリングに挿通させて、穂先側へと釣糸を案内することになる。
【０００３】
また、いわゆる「中通し竿」と呼ばれるタイプの釣竿は、例えば、以下のような構成を有する。即ち、このような釣竿では、複数の竿体を上述の外通し竿と同様に振出形式若しくは並継形式で連結するが、各竿体は竿体内部を釣糸が挿通可能な釣糸通路としている。そして、竿元側の竿体の周面に釣糸導入口を設けて、リールからの釣糸をこの釣糸導入口から釣糸通路へと導く。釣糸は各竿体の釣糸通路を挿通して穂先側の端部より外部に導出される。このような中通し竿であっても、釣糸導入口上又はその竿元側に釣糸ガイドが配置される。リールからの釣糸を釣糸ガイドに案内させた上で、釣糸導入口から竿体内部へ挿入するのである。
【０００４】
このように、従来の各種の釣竿では、釣糸ガイドが重要な機能を果たしている。
【０００５】
【発明が解決しようとする課題】
このような釣竿に於ける釣糸ガイドにあって、特に、重要な働きを為す釣糸ガイドの１つが、最も竿元側に位置してリールからの釣糸を最初に受ける（リールからの釣糸が最初に飛び込む）ガイド（本明細書では、「釣糸飛び込みガイド」と称する）である（なお、中通し竿にあっては、このガイドのみ配置されることになる）。例えば、スピニングリールを用いる場合等にあっては、釣糸はスパイラル状にリールから導出されてくるので、釣糸飛び込みガイドがこのような釣糸のスパイラル運動を収束させ安定させる重要な機能を奏するのである。
【０００６】
このように釣糸飛び込みガイドは、リールから導出される釣糸を直接受け、上述のような機能を奏するため、釣糸とのトラブルも生じ易い。例えば、キャスティングの際の釣糸の放出時に釣糸飛び込みガイドと釣糸とのストレスで釣糸が切断されてしまう現象等が報告されている。
本発明の課題は、釣糸のトラブルを抑え、操作性に優れる釣竿を提供することにある。
【０００７】
【課題を解決するための手段】
発明１の釣竿は、魚釣りに用いる釣竿であって、竿元側の周面にリールを脱着自在に装着可能なリールシートを有する元竿及び元竿の穂先側に連結される他の竿体と、元竿若しくは他の竿体の周面に配置されリールから導出される釣糸を最初に案内する釣糸飛び込みガイドとを備えている。
【０００８】
そして、この釣糸飛び込みガイドは、軸方向に貫通する貫通孔が形成された本体部と、本体部に連続する部分であり元竿若しくは他の竿体の周面に当接して固定される固定部と、本体部の貫通孔に連通し竿元側に向かって伸びる弾性スリーブと、弾性スリーブの竿元側端縁に固定されるガイドリングとを有している。
この釣竿では、リールからの釣糸は、まず、釣糸飛び込みガイドに向かって導出されて、釣糸飛び込みガイドに最初に案内されて穂先側に導かれることになる。詳しくは、リールからの釣糸はガイドリングを通って弾性スリーブ内に導かれ、そのまま穂先側に至り、本体部の貫通孔も挿通して穂先側へ導かれる。
【０００９】
ここでは、リールからスパイラル状に勢いよく導出された釣糸は、先ずガイドリングに接触することになる。そして、弾性スリーブの竿元側端縁に装着されているガイドリングは、釣糸から受ける軸方向若しくは周方向のストレスを吸収する。即ち、ガイドリングは弾性スリーブの弾性によって軸方向乃至周方向に振動若しくは移動可能であり、釣糸からのストレスを吸収する。よって、釣糸のスパイラルの収束がスムーズになると共に釣糸の切断等も減少する。
【００１０】
発明２の釣竿は、発明１の釣竿であって、弾性スリーブは、コイルバネ又はゴムチューブである。
このようなコイルバネやゴムチューブの弾性によって、その竿元側端縁に装着されるガイドリングと釣糸とのストレスが軽減されることになる。
【００１１】
【発明の実施の形態】
［第１実施形態］
以下、本発明の第１実施形態について図面を参照しつつ説明する。
本発明の第１実施形態を採用した釣竿は、図１に示すように、元竿１と、元竿１の穂先側に並継形式で連結されている穂先竿２との２本の竿体からなる。この元竿１及び穂先竿２は炭素繊維またはガラス繊維等に合成樹脂を含浸させたプリプレグから形成される先細り筒状部材である。穂先竿２の竿元側端部は嵌合雄部となっており、元竿１の穂先側端部に穂先側から挿入されて相互に竿体が連結固定される。
【００１２】
元竿１は、外周面に形成されリール（図示せず）を脱着自在に装着可能なリールシート３を有し、リールシート３の竿元側の周面には竿元グリップ４が、リールシート３の穂先側にはフロントグリップ５がそれぞれ装着されている。また、このフロントグリップ５の穂先側の周面には、リールシート３に装着されるリールから導出されてくる釣糸が最初に飛び込んでゆく釣糸飛び込みガイド１０が配置されて固定されている。
【００１３】
図２及び図３に示すように、この釣糸飛び込みガイド１０は、本体部１１と、本体部１１の長手方向両端に連続する固定部１２，１３と、本体部１１に連結されているゴムチューブ１４と、ゴムチューブ１４の竿元側端縁に装着されるガイドリング１５とを有している。
本体部１１は、金属又は合成樹脂からなる部材であり、一枚の薄板を長手方向中央付近で「くの字」型に折り曲げたような形状である。その長手方向両端が元竿１の周面に沿うように折り曲げられており、この両端部分が固定部１２，１３となっている。この長手方向が元竿１の軸方向になるようにして、本体部１１は元竿１の周面に配置される。本体部１１の竿元側の傾斜部分の頭端付近には元竿１の軸方向に貫通する貫通孔１１ａが形成されている。また、本体部１１の穂先側の傾斜部分は左右に二つに分離しており、それぞれ分離した部分が左右方向に膨らみながら固定部１３において一体化するように加工されている。この左右に分離した間を釣糸が挿通する。
【００１４】
固定部１２，１３は、上述のように本体部１１の長手方向両端をそれぞれ元竿１の周面に沿うように折り曲げてなる部分である。元竿１の周面に当接するようにして配置された上で、例えば、巻糸１６によって元竿１の周面に固定される。巻糸１６は巻回後に合成樹脂でコーティングしてもよい。
ゴムチューブ１４は５〜１５ｍｍ程度の長手方向長さを有するスリーブ状の部材である。スチレンゴムやウレタンゴム等の周知の合成ゴム等を用いて形成される。ゴムチューブ１４の径は上述の本体部１１の貫通孔１１ａに整合するように設定され、ゴムチューブ１４の穂先側端縁が貫通孔１１ａに挿入され接着剤等その他の周知の方法で固定される。また、ゴムチューブ１４の竿元側端縁付近は内径が部分的に拡径するフランジが形成され、ここに後述のガイドリング１５が填め込まれる。このゴムチューブ１４は、例えば、竿元側ほど拡径するような変形スリーブ状としてもよい。
【００１５】
ガイドリング１５はセラミックスなどの硬質部材からなるリングである。上述のゴムチューブ１４の竿元側端縁に合致するように設計され、このフランジに填め込まれて接着剤等によって固定されている。
一方、穂先竿２の周面にも、軸方向に間隔を隔てて複数の釣糸ガイド６が配置され固定されている。この釣糸ガイド６は周知のものを用いることができる。
【００１６】
この釣竿では、元竿１の穂先側に穂先竿２を連結して一本の釣竿とした上で、リールシート３にリールを装着し、リールからの釣糸を順次、元竿１の釣糸飛び込みガイド１０，穂先竿２の釣糸ガイド６に案内させて用いることになる。
リールから導出された釣糸は、釣糸飛び込みガイド１０にあって、ガイドリング１５を挿通してゴムチューブ１４を通り、本体部１１の貫通孔１１ａ、穂先側傾斜部分の左右分離部分の間を通って、穂先側に至ることになる。ここで、リールから勢いよくスパイラル状に導出されてくる釣糸は、ガイドリング１５に先ず接触する。そして、ゴムチューブ１４の竿元側端縁に装着されているガイドリング１５は、釣糸から受ける軸方向若しくは周方向のストレスを、ゴムチューブ１４の弾性によって吸収する。よって、釣糸のスパイラルの収束がスムーズになると共に釣糸の切断等も防止されることになる。
【００１７】
［第２実施形態］
本発明の第２実施形態として、上記第１実施形態の変形例を示す。
図４に示すように、この第２実施形態を採用した釣竿にあっても、元竿１の穂先側の周面に釣糸飛び込みガイド２０が装着されている。この釣糸飛び込みガイド２０は複数の釣糸ガイドの中でも最も竿元側に配置されるものであり、リール１００から導出されてくる釣糸が最初に飛び込むガイドである。
【００１８】
この釣糸飛び込みガイド２０は、チタンやアルミニウム等の金属からなる本体部２１と、本体部２１に連続する固定部２２，２３と、本体部２１に連結されるコイルバネ２４と、コイルバネ２４に連結されるガイドリング２５とを有する。
一対の固定部２２，２３はそれぞれ元竿１の周面に沿うようにして配置され、上記第１実施形態と同様に巻糸２６で巻回されて固定されている。この一対の固定部２２，２３は本体部２１の一対の脚部の先端部分を折り曲げて加工した部分である。
【００１９】
本体部２１は元竿１の周面に固定されている固定部２２，２３から起立した部分であり、元竿１の軸方向に貫通するリング状の貫通孔を形成するフレームとなっている。そして、この貫通孔に連通するようにコイルバネ２４が連結されている。
また、コイルバネ２４は本体部２１から竿元側に向かって軸方向に伸びるように連結されている。そして、このコイルバネ２４の竿元側の端縁にガイドリング２５が填め込まれ若しくは連結される。ガイドリング２５は上記第１実施形態と同様にセラミックス等からなる硬質のリングである。
【００２０】
なお、このコイルバネ２４の外周を覆うように軟質材から形成したカバーパイプ２９を配置してもよい。例えば、このカバーパイプ２９には軸方向に伸びる「割り」を形成して、この割りからコイルバネ２４乃至本体部２１を内包するようにこれらに取り付けることもできる。若しくは、図４に示すように、カバーパイプ２９に軸方向に「逃がし」２９ａを形成し、この逃がし部分に本体部２９を挟み込むようにしてもよい。このようなカバーパイプ２９を装着すれば、コイルバネ２４に釣糸が噛み込むのを抑えられる。
【００２１】
その他の構成は第１実施形態と同様であって、穂先竿２の周面には他の複数の釣糸ガイドが装着されることになる。
このように構成される釣竿においても、第１実施形態と同様の作用効果を奏する。即ち、図４に示すように、キャスティング時にリール１００からスパイラル状に勢いよく放出されてくる釣糸は、まず、ガイドリング２５に接触することになる。このガイドリング２５はコイルバネ２４に連結されており、コイルバネ２４の弾性によって周方向乃至軸方向に微妙に振動する。このようなガイドリング２５の動きが釣糸のストレスを吸収して、釣糸のスパイラルの収束を円滑にするとともに、釣糸とガイドリング２５とのストレスによる切断も抑えられる。
【００２２】
［第３実施形態］
以下、本発明の第３実施形態について、図面を参照しつつ説明する。
本発明の第３実施形態を採用した釣竿は、いわゆる中通し竿であって、元竿３１と、その穂先側に順次振出形式で連結される元上竿３２，中竿３３，穂先竿３４との４本の竿体を連結してなるものである。これらの各竿体は、それぞれ炭素繊維等の強化繊維に合成樹脂を含浸させたプリプレグ素材からなる。穂先側の竿体が順次竿元側に位置する竿体内に収納可能に連結されており（振出形式）、各竿体同士の連結部分には周知の嵌着部分が形成されている。
【００２３】
元竿３１は、リールを脱着自在に装着可能なリールシート３５が周面に設けられている。また、その竿元側端部には脱着自在に底栓３６が装着され、リールシート３５の穂先側の周面にはフロントグリップ３７が装着されている。
元上竿３２は、元竿３１の穂先側に連結され、穂先側の周面に釣糸導入口３８が形成されると共に、その釣糸導入口３８上に釣糸導入ガイド（釣糸飛び込みガイド）４０が配置されている。また、この釣糸導入口３８の開口には必要に応じてセラミックス等の硬質部材からなる保護リング３９が装着される（図６参照）。なお、元上竿３２は、元竿３１の内部に穂先側から釣糸導入ガイド４０付近まで収納可能となっている。そして、元上竿３２は元竿３１の穂先側に引き出した延伸状態及び収納状態の何れにおいても、元竿３１に連結固定可能となっている。このような延伸状態及び収納状態の何れにおいても元竿３１と元上竿３２とを相互に連結固定可能とすることで、釣竿全体の長さを調整しつつ魚釣りを行うこともできる。
【００２４】
中竿３３及び穂先竿３４はそれぞれ順次元上竿２の穂先側に連結される筒状体であり、その内部が釣糸通路となっている。穂先竿３４の穂先側端部にはトップガイド３９が装着される。
次に、釣糸導入ガイド４０について説明する。
図６に示すように、釣糸導入ガイド４０は、元上竿２の釣糸導入口３８上を軸方向に跨ぐようにして配置されている。元上竿２の軸方向に伸びる金属又は合成樹脂などからなる本体部４１と、本体部４１の長手方向両端にそれぞれ形成される固定部４２，４３と、本体部４１の竿元側部分に連結されているゴムチューブ４４と、ゴムチューブ４４の竿元側端縁に連結される第１ガイドリング４５と、本体部４１の長手方向中央付近にぶら下がっている第２ガイドリング４６とを有している。
【００２５】
本体部４１は例えば金属板を打ち抜き加工した部材であり、竿元側に配置される急傾斜部分と、穂先側に配置される緩傾斜部分とを有し、元上竿２の釣糸導入口３８を覆うようにして配置されている。急傾斜部分には軸方向に貫通する貫通孔が形成され、緩傾斜部分にも軸方向に長く伸びる長孔が形成されている。この長孔の穂先側に当たる緩傾斜部分の中段からは、下方（元上竿２側）にぶら下がるように第２ガイドリング４６が固定される。この第２ガイドリング４６は、ちょうど釣糸導入口３８の竿元側端部付近に相当するように配置される。
【００２６】
本体部４１の両端はそれぞれ元上竿２の周面に沿うように折り曲げられそれぞれ固定部４２，４３となる。この固定部４２，４３は、上記第１実施形態と同様に、巻糸４７によって元上竿２の周面に固定される。
ゴムチューブ４４も第１実施形態のゴムチューブと同様のものである。本体部４１の竿元側の急傾斜部分の貫通孔に連通するように、接着等周知の方法で連結される。そして、このゴムチューブ４４の竿元側端縁に第１ガイドリング４５が装着される。この第１ガイドリング４５も第１実施形態と同様のものである。
【００２７】
このような中通し竿では、リールからの釣糸は、釣糸導入ガイド４０の第１ガイドリング４５，ゴムチューブ４４，第２ガイドリング４６を通って、釣糸導入口３８から元上竿２の竿体の内部に導入される。そして、順次穂先側の竿体内へと導かれ、穂先竿４のトップガイド３９から外部に導出される。ここでは、キャスティング時にあってリールから勢いよくスパイラル状の放出されてくる釣糸は、釣糸導入ガイド４０の第１ガイドリング４５によって、そのスパイラルが収束され、釣糸導入口３８へと円滑に導かれることになる。
【００２８】
この際、釣糸と第１ガイドリング４５との間に生じるストレスは、上記第１実施形態と同様に、ゴムチューブ４４の弾性によって周方向及び軸方向に移動する第１ガイドリング４５によって抑えられる。よって、円滑なスパイラルの収束や釣糸破損の防止が可能となる。
［他の実施形態］
（ａ）この明細書では、ゴムチューブと表現しているが、このゴムチューブには軸方向長さの短い凡そゴムリングと呼ばれるようなものも含み得る。
【００２９】
【発明の効果】
本発明の釣竿によれば、釣糸の破損などのトラブルが防止でき、また、その操作性にも優れる。
【図面の簡単な説明】
【図１】本発明の第１実施形態を採用した釣竿の全体図。
【図２】図１の釣糸飛び込みガイド１０を示した図。
【図３】図２の釣糸飛び込みガイド１０の断面図。
【図４】本発明の第２実施形態を採用した釣糸飛び込みガイド２０を示した図。
【図５】本発明の第３実施形態を採用した釣竿の全体図。
【図６】図５の釣糸導入ガイド（釣糸飛び込みガイド）４０を示した図。
【符号の説明】
１０，２０  釣糸飛び込みガイド
４０  釣糸導入ガイド（釣糸飛び込みガイド）
１１，２１，４１  本体部
１４，４４  ゴムチューブ
２４  コイルバネ
１５，２５，４５  ガイドリング
【図１】
0003925913.tif 000002
【図２】
0003925913.tif 000003
【図３】
0003925913.tif 000004
【図４】
0003925913.tif 000005
【図５】
0003925913.tif 000006
【図６】
0003925913.tif 000007